(57)【要約】【課題】  木製の土台や柱、梁などの構造材を簡単に且つ、堅固に連結することができる木造建築物の土台、柱および梁の組み付け方法を提供する。    【解決手段】  端部に土台固定板１８が嵌合する溝２８を有する土台２６を、溝２８に土台固定板１８を嵌合させて第１の連結金具１０に装着して基礎の上面に配置し、溝内壁面と土台固定板１８との間、土台２６の端面と連結金具１０の側壁の間を接着剤で固定し、土台２６を第１の連結金具１０に連結し、一端に梁固定板５２が嵌合可能な溝５４が設けられた梁３８を、溝５４に梁固定板５２を嵌合させて第２の連結金具４０に装着し、溝内壁面と梁固定板５２との間、梁３８の端面と連結金具４０の側壁との間を接着剤で固定することを特徴とする。【選択図】          図８
2006214268.tif 000002
【特許請求の範囲】
【請求項１】
基板と、該基板上に一体に設けられ、上方から柱が嵌め込まれて柱を支持する断面四角形状の枠体と、該枠体内に、枠体の側壁および基板に対して垂直に設けられた柱固定板と、前記枠体の側壁の外面から、側壁および基板に対して垂直に側方に延出する土台固定板とを備える木造建築用の第１の連結金具を、建築物の基礎の上面に前記基板により取り付ける工程と、
端部に前記土台固定板が嵌合する溝が設けられた土台を、該溝に土台固定板が嵌合するようにして前記第１の連結金具に装着して前記基礎の上面に配置すると共に、前記溝内壁面と前記土台固定板との間、および土台の端面と連結金具の側壁との間を接着剤によって固定して、土台を前記第１の連結金具に連結する工程と、
下部に前記柱固定板が嵌合する溝が設けられた柱を、該溝に柱固定板が嵌合するようにして前記第１の連結金具の枠体内に下部を嵌め込むと共に、前記溝内壁面と前記柱固定板との間、柱下部外壁面と前記枠体内壁面との間、および柱端面と前記基板上面との間を接着剤によって固定して、柱を前記第１の連結金具に連結する工程と、
断面Ｌ字状をなし、対向して配置されることにより、断面四角形状の前記柱の外面を覆うことのできる側壁を有する２つの固定部材と、該固定部材の側壁の外面に沿って鉛直方向に延出する梁固定板とを備える木造建築用の第２の連結金具を、前記柱の外面を前記固定部材によって覆うようにして柱に取り付ける工程と、
一端に前記梁固定板が嵌合可能な溝が設けられた梁を、該溝に梁固定板が嵌合するようにして前記第２の連結金具に装着すると共に、前記溝内壁面と前記梁固定板との間、および梁の端面と連結金具の側壁との間を接着剤によって固定する工程と、
を有することを特徴とする木造建築物の土台、柱および梁の組み付け方法。
【請求項２】
前記溝内壁面と前記梁固定板との間、および梁の端面と連結金具の側壁との間を接着剤によって固定した後、
前記溝が設けられている部位の梁の外周面に締付バンドを巻き付けて締め付ける工程を有していることを特徴とする請求項１記載の木造建築物の土台、柱および梁の組み付け方法。
【発明の詳細な説明】
【技術分野】
【０００１】
本発明は、木造建築物の土台、柱および梁の組み付け方法に関し、より詳細には、木製の土台や柱、梁などの構造材を簡単に且つ、堅固に連結することができる木造建築物の土台、柱および梁の組み付け方法に関する。
【背景技術】
【０００２】
従来から、木造建築物における柱や梁などの構造材を、連結金具により連結させることが考えられている。図１２は、従来の連結金具の構成を示す側断面図および平面図である。図示する連結金具１００は、コンクリート基礎１０２に取り付けられ、柱と土台１１２とを連結する金具である。図１２(a)，(b)に示すように、この連結金具１００は、基板１０４上に断面四角形状の枠体１０６が設けられており、枠体１０６の所定の側壁１０６ａの外面に土台固定板１０８が設けられている。
【０００３】
連結金具１００の基板１０４には、連結金具１００をアンカーボルト１１８により固定するため、基板１０４に挿通孔１１６が設けられている。
土台固定板１０８は、土台１１２の溝１１２ａに嵌合するように、枠体１０６側壁１０６ａの外面から、側壁１０６ａおよび基板１０４に直交して側方に延びて形成されている。この土台固定板１０８は、上記挿通孔１１６を通して取り付けるアンカーボルト１１８の設置空間を設けるため、図１２(a)に示すように、Ｌ字状に設けられている。
【０００４】
土台固定板１０８には、図１２(a)に示すように、土台１１２を固定するための取付け
孔１１４が設けられ、土台１１２にはボルトを通す貫通孔が設けられており、土台１１２は、土台１１２の側面からボルトを差し込み貫通孔、取付け孔１１４を挿通させて固定することにより土台固定板１０８に取り付けられる。
【特許文献１】特開２００２−６１２８６号公報
【発明の開示】
【発明が解決しようとする課題】
【０００５】
しかしながら、土台固定板１０８と土台１１２とをボルトにより固定する場合には、土台固定板１０８と土台１１２とをしっかりと固着して取り付けることができず、若干ぐらついた状態に取り付けられてしまう。これは、ボルトを取り付けるための取付け孔１１４および貫通孔が、ボルトを挿通させるためボルトの径よりも若干大きく形成されているから、ボルトにより土台１１２と土台固定板１０８とを固定した際に、ボルトとボルトの取付け孔１１４との間にがたが生じるからである。
なお、上記文献には、ボルトと取付け孔１１４とのがたをなくすため、ボルトの周りに接着剤を充填してぐらつきを防止する方法が記載されているが、この場合には作業が煩雑となってしまう。
【０００６】
本発明は、木製の土台や柱、梁などの構造材を簡単に且つ、堅固に連結することができる木造建築用連結金具を用いた木造建築物の土台、柱および梁の組み付け方法を提供することを目的とする。
【課題を解決するための手段】
【０００７】
本発明は、上記目的を達成するため次の構成を備える。
すなわち、基板と、該基板上に一体に設けられ、上方から柱が嵌め込まれて柱を支持する断面四角形状の枠体と、該枠体内に、枠体の側壁および基板に対して垂直に設けられた柱固定板と、前記枠体の側壁の外面から、側壁および基板に対して垂直に側方に延出する土台固定板とを備える木造建築用の第１の連結金具を、建築物の基礎の上面に前記基板により取り付ける工程と、端部に前記土台固定板が嵌合する溝が設けられた土台を、該溝に土台固定板が嵌合するようにして前記第１の連結金具に装着して前記基礎の上面に配置すると共に、前記溝内壁面と前記土台固定板との間、および土台の端面と連結金具の側壁との間を接着剤によって固定して、土台を前記第１の連結金具に連結する工程と、下部に前記柱固定板が嵌合する溝が設けられた柱を、該溝に柱固定板が嵌合するようにして前記第１の連結金具の枠体内に下部を嵌め込むと共に、前記溝内壁面と前記柱固定板との間、柱下部外壁面と前記枠体内壁面との間、および柱端面と前記基板上面との間を接着剤によって固定して、柱を前記第１の連結金具に連結する工程と、断面Ｌ字状をなし、対向して配置されることにより、断面四角形状の前記柱の外面を覆うことのできる側壁を有する２つの固定部材と、該固定部材の側壁の外面に沿って鉛直方向に延出する梁固定板とを備える木造建築用の第２の連結金具を、前記柱の外面を前記固定部材によって覆うようにして柱に取り付ける工程と、一端に前記梁固定板が嵌合可能な溝が設けられた梁を、該溝に梁固定板が嵌合するようにして前記第２の連結金具に装着すると共に、前記溝内壁面と前記梁固定板との間、および梁の端面と連結金具の側壁との間を接着剤によって固定する工程と、を有することを特徴とする木造建築物の土台、柱および梁の組み付け方法である。
また、前記溝内壁面と前記梁固定板との間、および梁の端面と連結金具の側壁との間を接着剤によって固定した後、前記溝が設けられている部位の梁の外周面に締付バンドを巻き付けて締め付ける工程を有していることを特徴とする。
【発明の効果】
【０００８】
本発明は、木の柱や土台、梁、桁材などの構造材を連結する際、構造材の端部に設けられた溝に嵌合する形状に設けられた固定板を備えた木造建築用連結金具を、構造材の連結位置に固定し、構造材の溝を含む外面と固定板を含む連結金具の外面との当接する面に接着剤を塗布して接着することにより、構造材どうしを簡単に且つ堅固に連結することができる等の著効を奏する。
【発明を実施するための最良の形態】
【０００９】
以下、本発明にかかる木造建築用連結金具の好適な実施の形態を添付図面に基づいて詳細に説明する。
【００１０】
（第１の実施の形態）
図１は、本発明にかかる木造建築用連結金具の第１の実施形態とこの木造建築用連結金具を用いて構造材を連結する方法を示す斜視図である。
第１の実施形態である木造建築用連結金具１０（以下、連結金具１０という）は、基板１２と、基板１２上に一体に設けられ、上方から柱１４を嵌め込んで支持する断面四角形状の枠体１６と、枠体１６の所定の側壁１７の外面から、側壁１７および基板１２に対して垂直に側方に延出する土台固定板１８と、枠体１６内部において、側壁１７および基板１２に対して垂直に設けられた柱固定板２０とからなる。
【００１１】
本実施形態においては、図１に示すように、コンクリート基礎２２の平面Ｔ字状の交差部に取り付ける際に用いられる連結金具１０について説明する。
図示する連結金具１０の基板１２は、基板１２上に設けられる枠体１６よりも幅広に形成されており、土台２６が連結される部位においては、土台２６が連結される向きに若干延出した延出部２４が形成されている。
延出部２４の各々には、連結金具１０をコンクリート基礎２２に固定するアンカーボルトを打ち込むためのボルト孔２５が、後述する土台固定板１８から外れた位置、本実施形態では、土台固定板１８を挟んで対向する位置に２つ配置されている。
【００１２】
基板１２上に設けられる枠体１６は、取り付けられる柱１４と嵌合する大きさに形成され、嵌め込まれた柱１４の下部外周面を覆うように設けられている。このため、枠体１６内に柱１４を嵌め込むことで、柱１４の取り付け位置に柱１４を簡単に正確に設置することができると共に、枠体１６により柱１４の下部外周面を覆うことで、柱１４を支持することができる。
【００１３】
土台２６が連結される位置の枠体１６の側壁１７には、外面に、基板１２および側壁１７に対して垂直に形成され、コンクリート基礎２２に沿って側方に延出する土台固定板１８が設けられている。土台固定板１８は、連結金具１０に土台２６を取り付ける際に設置基準となるように設けられているもので、本実施形態においては、枠体１６側壁１７の水平方向の略中央に設けられている。これにより、土台２６の先端に設けられた溝２８と土台固定板１８とを嵌合させることで、連結金具１０により土台２６を正確な位置に連結することができる。
【００１４】
そして、本実施形態においては、土台２６と土台固定板１８とを接着剤により固定している。これにより、従来のようにボルトを取り付けるための孔を設ける必要がなく作業を簡単に行え、また、接着剤により固着されることからぐらつくことがない。
具体的な作業としては、先ず、土台２６の溝２８内および端面２６ａに接着剤を塗り、土台２６の溝２８と土台固定板１８とを嵌合させる。嵌合させた後、接着剤が乾いて固着されるまでの間、溝２８の壁面と土台固定板１８の側面がしっかり接着するように、ゴムや金属等で設けられた締め付けバンド２９を、溝２８が設けられている土台２６の外周面に巻き付ける。これにより、所定時間が経ち接着剤が固まると、土台２６と土台固定板１８とをぐらつくことなく固着させることができる。
【００１５】
なお、土台２６を接着剤により連結金具１０に固着させる場合、土台２６と連結金具１０との接着面積を大きくすることが好ましい。このため、土台固定板１８は、枠体１６側壁１７の下端縁から土台固定板１８の厚さ分だけ鉛直上方に延びた線を一辺とする長方形状に形成されている。
【００１６】
連結金具１０の枠体１６に嵌合して取り付けられる柱１４は、上述した土台２６と同様、接着剤により固着される。このため、連結金具１０と柱１４との接着面積を大きくするように、枠体１６内部には柱固定板２０が設けられ、柱１４の下端部には、柱固定板２０と嵌合する溝３６が設けられている。
本実施形態において柱固定板２０は、土台固定板１８と一直線となるように設けられ、平面Ｔ字状に形成されている。詳細には、側壁１７の対向する位置に土台固定板１８，１８が設けられている部位では、対向する土台固定板１８，１８と柱固定板２０とが一枚の固定板３２として形成され、枠体１６の側壁１７に設けられた溝３０，３０を通して取り付けられている。また、対向する側壁１７の一方のみに土台固定板１８が設けられている部位では、土台固定板１８と柱固定板２０とが一枚の固定板３４として形成され、固定板３４の一端が固定板３２に当接した状態となるように、側壁１７の溝３１を通して取り付けられている。
【００１７】
柱１４を枠体１６内に固定する際には、枠体１６内の柱固定板２０の側面、枠体１６側壁１７の内面および枠体１６内の基板１２面に接着剤を塗り、枠体１６内に嵌め込むことで簡単に取り付けることができる。
本実施形態においては、柱１４の外周面と枠体側壁１７の内面とを当接させて接着させるため、枠体１６の側壁１７にはビス孔２３・・が形成され、側壁１７の外方からビスを打ち、柱１４と枠体１６とを固定することができるように設けられている。
【００１８】
なお、本実施形態の連結金具１０は、枠体１６の側壁１７の外面から３つの土台固定板１８が設けられたものについてのみ説明しているが、土台２６の取り付け位置や設計により、土台固定板１８の設けられている位置や数は適宜選択するものである。
すなわち、土台２６をＬ字状に連結させる場合には、図２(a)に示すように、枠体１６
の隣接する側壁１７の外面に土台固定板１８を設けた連結金具１０ａを用いる。この連結金具１０ａは、上述した連結金具１０と同様、土台固定板１８と柱固定板２０とが一体の板により形成され、枠体１６の略中央で接合して柱固定板２０が平面Ｌ字状に設けられている。
また、土台２６を一直線に連結する場合には、図２(b)に示すように、枠体１６の対向
する側壁１７の外面に土台固定板１８を設けた連結金具１０ｂを用いる。この連結金具１０ｂは、対向する土台固定板１８と柱固定板２０とが一枚板で形成され、枠体１６を略半分に分断するように取り付けられているものである。
【００１９】
（第２の実施の形態）
次に、柱と梁とを連結する木造建築用連結金具について説明する。
図３は、本発明にかかる木造建築用連結金具の第２の実施形態の構成を示す平面図および斜視図である。
第２の実施形態である木造建築用連結金具４０（以下、連結金具４０という）は、断面四角形状の柱１４の外面を覆う側壁５０を備え、柱１４の中途に組み付けて固定される少なくとも２つ以上の部材からなる固定部材４２，４２と、固定部材４２，４２の側壁５０の外面から、鉛直方向に延出する梁固定板５２とからなる。
【００２０】
本実施形態の固定部材４２，４２は、図３(a)に示すように、断面Ｌ字状の同一形状に
形成された一対の帯状部材であり、この２つの固定部材４２，４２を対向して配置させると、取り付ける柱１４の外面を覆う断面四角形状となるように形成されている。
一対の固定部材４２，４２の両端縁には、対向する縁板４４が平行に設けられ、縁板４４に形成された挿通孔４８にボルト４６ａを通しナット４６ｂで締め付けていくことで、固定部材４２，４２を柱１４に締め付けて固定できるように設けられている。
【００２１】
固定部材４２，４２の側壁５０の外面に設けられた梁固定板５２は、側壁５０の水平方向の略中央から側面５０に対して垂直に側方に延出し、側壁５０の上端縁と下端縁とを垂直に結んだ線を一辺とする四角形状に形成されており、図３(b)に示すように、梁３８は
、この梁固定板５２に嵌合するように、先端に溝５４が形成されている。
本実施形態において梁固定板５２は、３つの側壁５０に設けられ、梁３８が平面Ｔ字状に連結されるように設けられている。梁３８と梁固定板５２との取り付けは、実施例１と同様、梁３８の溝５４内および端面と、固定部材４２の側壁５０外面および梁固定板５２とに接着剤を塗り、梁３８の溝５４と梁固定板５２とを嵌合させて接着して固着させているものである。
【００２２】
その際、接着剤が乾くまでは梁３８はしっかりと接着されておらず連結金具４０から外れるおそれがあることから、金属やゴム等で形成された締め付けバンド５６を、溝５４が設けられた位置の梁３８の周囲に巻き付けて、梁３８と連結金具４０が外れないように支持すると共に、梁３８を締め付けて梁３８の溝５４と梁固定板５２とがしっかり接着するように設けている。
【００２３】
このように、本実施形態の連結金具４０は、固定部材４２により梁３８の取り付け位置に簡単に設置することができると共に、固定部材４２と一体に設けられた梁固定板５２と梁３８の溝５４とを嵌合させて接着剤により固着させることで、柱１４と梁３８とを簡単に連結させることができる。
【００２４】
なお、連結金具４０の場合も、梁３８の取り付け位置によって、梁固定板５２の位置を適宜設定することで良い。
すなわち、図４(a)に示すように、四角形状に設けられた一対の固定部材４２の対向す
る側壁５０の外面にそれぞれ梁固定板５２を設け、梁３８を平面一直線状に連結する連結金具４０ａであっても良いし、図４(b)に示すように、固定部材４２の隣接する２つの側
壁５０の外面に梁固定板５２を設け、梁３８を平面Ｌ字状に連結する連結金具４０ｂであっても良い。
また、本実施形態において連結金具４０は、同一形状の一対の固定部材４２，４２により柱に固定されるように設けられているものであるが、本発明においては、これに限定されるものではなく、例えば、柱の外面の三面を覆う断面コ字状の部材と、柱の一面を覆う板材とを組み付けて柱に固定する固定部材であっても良い。
【００２５】
（第３の実施の形態）
次に、柱の最上部において柱間に架け渡される桁材どおしを連結する木造建築用連結金具について説明する。
図５は、本発明にかかる木造建築用連結金具の第３の実施形態の構成を示す斜視図であり、図５(a)は桁材の連結前の状態を示し、図５(b)は桁材を連結した状態を示している。
第３の実施形態である木造建築用連結金具６０（以下、連結金具６０という）は、桁材５８，５８の対向する端面５８ａ，５８ａにそれぞれ設けられた溝６２，６２を、端面５８ａ，５８ａを当接させて連通させた凹部６３に嵌合する形状に形成された桁材固定板６４と、桁材固定板６４の端面６４ａに設けられ、桁材固定板６４を凹部６３内に嵌め込んだ際に桁材５８の外周面に当接する係止部６６とを備えたものである。
【００２６】
本実施形態においては、桁材５８に設けられた溝６２が、対向して同形状に形成されている。溝６２は、図５(a)に示すように、桁材５８の上面５８ｂから鉛直方向に下面５８
ｃに達しない所定深さに延び、端面５８ａが開口するように形成されており、対向する端面５８ａ，５８ａを当接させた際に一直線状に連通するように設けられている。
本実施形態の連結金具６０は、桁材固定板６４が、上記の溝６２，６２を連通して形成された凹部６３に嵌合する板状に形成されており、桁材固定板６４の端面６４ａには、端面６４ａよりも幅広の板状に形成された係止部６６が設けられている。係止部６６には、スクリューボルトにより連結金具６０を桁材５８に取り付けるため、両方の桁材５８に対応する２つの挿通孔６８が設けられている。
【００２７】
上記連結金具６０を用いて桁材５８どおしを連結する際には、先ず、それぞれの桁材５８の端面５８ａおよび溝６２内に接着剤を塗って桁材５８の端面５８ａを当接させる。そして、図５(b)に示すように、端面５８ａを当接させ溝６２が連通して形成された凹部６
３内に連結金具６０の桁材固定板６４を嵌合させることで、連結金具６０を介して桁材５８を連結することができる。
【００２８】
この後、係止部６６の挿通孔６８からスクリューボルトを通して桁材５８，５８に連結金具６０を取り付ける。これにより、接着剤が乾くまで、桁材５８，５８と連結金具６０とを連結した状態に保持することができる。
なお、本発明においては、桁材固定板６４に係止部６６を設け、スクリューボルトなどで連結金具６０と桁材５８とを固定することに限定するものではなく、連通した凹部６３に桁材固定板６４を嵌め込んだ後、端面５８ａが当接する位置の桁材５８の外周を、ゴムや金属等の締め付けバンドを巻きつけて固定することであっても良い。
【００２９】
また、本実施形態においては、桁材５８に、桁材５８の上面側が開口した溝を形成し、桁材５８の上面５８ｂから連結金具６０を取り付けているものであるが、これに限定されるものではなく、桁材５８の下面５８ｃから鉛直方向に上面５８ｂに達しない深さに溝を設け、桁材５８の下面５８ｃから連結金具６０を取り付けることであっても良い。
また、柱１４上部に設けられる桁材５８の連結位置は任意の位置で良いが、桁材５８にかかる荷重が小さい部分で連結することが好ましい。このため、図６に示すように、桁材５８の上面５８ｂから連結金具６０を取り付ける場合には、一方または他方の柱１４，１４から、柱１４，１４間の４分の１の距離離れた位置が好ましい。また、桁材５８の下面５８ｃから連結金具６０を取り付ける場合には、柱１４，１４間の略中央に設けられていることが好ましい。
【００３０】
（建築施工方法）
次に、上記の連結金具１０，４０，６０を用いて建築物を施工する方法について説明する。
本実施形態においては、現在建てられている２階建ての家屋を、家屋に住みながら、３階建てに増築する建築施工方法について説明する。
図７〜図１１は、本実施形態の建築施工方法を工程順に示す概念図である。
【００３１】
図７(a)に示すように、増築する際には、先ず、既存の家屋７０の基礎７１の外側にコ
ンクリート基礎７２を打つ。本実施形態のコンクリート基礎７２は、図７(b)に示すよう
に、既存の基礎７１と離間させ独立して設けられており、既存の家屋７０の長手方向にのみ設けられ、布基礎に形成されている。
【００３２】
建物の長手方向に設けられたコンクリート基礎７２の上面７２ａには、図８(b)に示す
ように、上述した連結金具１０が取り付けられる。この連結金具１０は、図１に示すように、基板１２に設けられたボルト孔２５・・からアンカーボルトを打ち込み、コンクリート基礎７２に取り付けられる。
【００３３】
コンクリート基礎７２の長手方向に沿って所定間隔おきに連結金具１０・・が取り付けられると、図９に示すように、それぞれの連結金具１０の枠体１６内に、上方から柱１４を挿入し接着剤により固定することによって柱１４を立てる。この後、柱１４間に設ける梁３８と、柱１４の上部に架け渡す桁材５８とを、上述した連結金具４０および連結金具６０を用いて連結し、骨組７４を組み上げる。そして、３階の屋根の下地を設け、３階部分に筋違いを入れて３階の屋根７６を葺く。
なお、これまでの工程においては、既存の家屋７０の内部を施工する工程はないことから、居住者は既存の家屋７０に住むことができる。
【００３４】
３階の屋根７６が設けられると、既存の家屋７０の２階の屋根７８を取り壊す。この後、図１０に示すように、２階の屋根７８が在った部分に３階の床面８０を形成し、３階の外周面に外壁パネル８２を張ると共に３階の内装工事を行って住める状態にする。
３階が住めるように設けられると、２階に３階へ上るための階段８４を設け、居住者は３階へ移り住む。
【００３５】
次に、図１１に示すように、第１の連結金具１０を用いて土台２６を取り付ける。本来、土台は、柱の下にあって、家屋の荷重を分散させるために設けられているものであるが、本実施形態のように、柱１４が連結金具１０の枠体１６によりしっかりと支持されている場合には、特に土台を必要としない。
ただ、本実施形態においては、間柱等を取り付ける際のほぞを形成するため、土台２６が設けられている。このため、土台２６の強度等は要求されないことから、土台２６は任意の厚さに設けることができる。
【００３６】
土台２６が設けられると、２階部分に梁３８を取り付け、既存の家屋７０と増築した家屋８６とを連結して補強を行う。そして、１階と２階に外壁パネル８８を張り、１階２階の内装工事をすることによって、家屋を住みながらにして増築することができる。
【００３７】
なお、本実施形態においては、上述した連結金具を、増築施工の際に用いたが、もちろん通常の家屋を建築する場合やその他の建築物を建てる場合においても好適に用いることができる。また、本実施形態においては、２階建ての建物を３階建てに増築する場合について説明したが、１階の建物を２階建てに増築するなど、建築物の鉛直方向上方に新規な階を増築する場合においても、同様の工程により増築することができる。
【図面の簡単な説明】
【００３８】
【図１】本発明にかかる木造建築用連結金具の第１の実施形態の構成を示す斜視図である。
【図２】図１に示す木造建築用連結金具の変形例の構成を示す斜視図である。
【図３】本発明にかかる木造建築用連結金具の第２の実施形態の構成を示す平面図および斜視図である。
【図４】図３に示す木造建築用連結金具の変形例の構成を示す平面図である。
【図５】本発明にかかる木造建築用連結金具の第３の実施形態の構成を示す斜視図である。
【図６】図５に示す木造建築用連結金具の好適な設置位置を示す概念図である。
【図７】本実施形態の建築施工方法を工程順に示す概念図である。
【図８】本実施形態の建築施工方法を工程順に示す概念図である。
【図９】本実施形態の建築施工方法を工程順に示す概念図である。
【図１０】本実施形態の建築施工方法を工程順に示す概念図である。
【図１１】本実施形態の建築施工方法を工程順に示す概念図である。
【図１２】従来の木造建築用連結金具の構成を示す側断面図および平面図である。
【符号の説明】
【００３９】
１０  木造建築用連結金具
１２  基板
１４  柱
１６  枠体
１７  側壁
１８  土台固定板
２０  柱固定板
２２  コンクリート基礎
２６  土台
２８  溝
３８  梁
４０  木造建築用連結金具
４２  固定部材
５０  側壁
５２  梁固定板
５８  桁材
６０  木造建築用連結金具
６３  凹部
６４  桁材固定板
【図１】
2006214268.tif 000003
【図２】
2006214268.tif 000004
【図３】
2006214268.tif 000005
【図４】
2006214268.tif 000006
【図５】
2006214268.tif 000007
【図６】
2006214268.tif 000008
【図７】
2006214268.tif 000009
【図８】
2006214268.tif 000010
【図９】
2006214268.tif 000011
【図１０】
2006214268.tif 000012
【図１１】
2006214268.tif 000013
【図１２】
2006214268.tif 000014